(57)【要約】【課題】カム環を備えたレンズ鏡筒の組み立て効率を向上させること。【解決手段】光学部材を支持する第１の筒状部材１２０と、前記第１の筒状部材１２０とバヨネット結合する第２の筒状部材１３０と、バヨネット結合された前記第１の筒状部材１２０と前記第２の筒状部材１３０とを離間させる方向に付勢する弾性部材１３３と、前記第１の筒状部材１２０と前記第２の筒状部材１３０とを光軸方向に移動可能に支持する固定部材１１０と、前記第１の筒状部材と前記第２の筒状部材とに設置されたカムフォロアが係合する係合溝を有し、バヨネット結合された前記第１の筒状部材１２０と前記第２の筒状部材１３０とを前記固定部材１１０に対して光軸方向に移動させるカム環１４０と、を備えることを特徴とする。【選択図】図７
2013250408.tif 000002
【特許請求の範囲】
【請求項１】
光学部材を支持する第１の筒状部材と、
前記第１の筒状部材とバヨネット結合する第２の筒状部材と、
バヨネット結合された前記第１の筒状部材と前記第２の筒状部材とを離間させる方向に付勢する弾性部材と、
前記第１の筒状部材と前記第２の筒状部材とを光軸方向に移動可能に支持する固定部材と、
前記第１の筒状部材と前記第２の筒状部材とに設置されたカムフォロアが係合する係合溝を有し、バヨネット結合された前記第１の筒状部材と前記第２の筒状部材とを前記固定部材に対して光軸方向に移動させるカム環と、
を備えることを特徴とするレンズ鏡筒。
【請求項２】
請求項１に記載のレンズ鏡筒であって、
前記第１の筒状部材と前記第２の筒状部材とは、バヨネット結合された状態で、前記弾性部材の圧縮が維持される範囲内で光軸方向に相対移動するストロークを有することを特徴とするレンズ鏡筒。
【請求項３】
請求項１または２に記載のレンズ鏡筒であって、
前記第１の筒状部材及び前記第２の筒状部材の少なくとも一方は、前記弾性部材を支持する支持部を備えることを特徴とするレンズ鏡筒。
【請求項４】
請求項１から３のいずれか１項に記載のレンズ鏡筒であって、
前記第１の筒状部材と前記第２の筒状部材とのバヨネット結合が解除されることを抑制するストッパー部を備えることを特徴とするレンズ鏡筒。
【請求項５】
請求項１から４のいずれか１項に記載のレンズ鏡筒を備えた撮像装置。
【発明の詳細な説明】
【技術分野】
【０００１】
本発明は、レンズ鏡筒及び撮像装置に関する。
【背景技術】
【０００２】
従来、一眼レフカメラの交換用レンズ鏡筒等において、レンズ群の一部を光軸方向に移動させ、ズーミング機能やフォーカシング機能を実現する部材として、カム環が知られている。
カム環は内周面にカム溝が形成されており、カム環が回転されると、レンズ群を保持するレンズ室のカムピンが、このカム溝内を摺動することにより、レンズ群が光軸方向に移動する。
カム環によってレンズ群を移動させる上記の構造において、カム環とレンズ室とのガタを低減するために、ガタ取り環が用いられている。
ガタ取り環とレンズ室とには、それぞれカムピンが設置されており、ガタ取り環は、カム環に対して光軸方向に離間する方向に付勢されている。
このような構成により、ガタ取り環とレンズ室とが互いに離間する作用によって、ガタ取り環のカムピンとレンズ室のカムピンとが、カム環のカム溝における対向する側壁にそれぞれ押し当てられ、カム環とレンズ室とのガタが低減される。
なお、このような技術は、例えば、特許文献１に開示されている。
【先行技術文献】
【特許文献】
【０００３】
【特許文献１】特開平１−１３３０１４号公報
【発明の概要】
【発明が解決しようとする課題】
【０００４】
しかしながら、カム環を備えた従来のレンズ鏡筒においては、ガタ取り環とレンズ室とが離間する方向に付勢されているため、レンズ鏡筒の組み立て時にガタ取り環とレンズ室とが分離する場合がある。
このように、カム環を備えた従来のレンズ鏡筒は、組み立て効率に改善の余地がある。
本発明の課題は、カム環を備えたレンズ鏡筒の組み立て効率を向上させることである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、光学部材を支持する第１の筒状部材（１２０）と、前記第１の筒状部材とバヨネット結合する第２の筒状部材（１３０）と、バヨネット結合された前記第１の筒状部材（１２０）と前記第２の筒状部材（１３０）とを離間させる方向に付勢する弾性部材（１３３）と、前記第１の筒状部材（１２０）と前記第２の筒状部材（１３０）とを光軸方向に移動可能に支持する固定部材（１１０）と、前記第１の筒状部材（１２０）と前記第２の筒状部材（１３０）とに設置されたカムフォロア（１２１，１３１）が係合する係合溝（１４１）を有し、バヨネット結合された前記第１の筒状部材（１２０）と前記第２の筒状部材（１３０）とを前記固定部材（１１０）に対して光軸方向に移動させるカム環（１４０）と、を備えることを特徴とするレンズ鏡筒である。
請求項２に記載の発明は、請求項１に記載のレンズ鏡筒であって、前記第１の筒状部材（１２０）と前記第２の筒状部材（１３０）とは、バヨネット結合された状態で、前記弾性部材（１３３）の圧縮が維持される範囲内で光軸方向に相対移動するストロークを有することを特徴とするレンズ鏡筒である。
請求項３に記載の発明は、請求項１または２に記載のレンズ鏡筒であって、前記第１の筒状部材（１２０）及び前記第２の筒状部材（１３０）の少なくとも一方は、前記弾性部材（１３３）を支持する支持部（１３４）を備えることを特徴とするレンズ鏡筒である。
請求項４に記載の発明は、請求項１から３のいずれか１項に記載のレンズ鏡筒であって、前記第１の筒状部材（１２０）と前記第２の筒状部材（１３０）とのバヨネット結合が解除されることを抑制するストッパー部（１３６ａ）を備えることを特徴とするレンズ鏡筒である。
請求項５に記載の発明は、請求項１から４のいずれか１項に記載のレンズ鏡筒（１００）を備えた撮像装置（１）である。
【発明の効果】
【０００７】
本発明によれば、カム環を備えたレンズ鏡筒の組み立て効率を向上させることが可能となる。
【図面の簡単な説明】
【０００８】
【図１】本発明の一実施形態であるカメラ１を示す模式図である。
【図２】レンズ鏡筒１００の構成を示す分解斜視図である。
【図３】レンズ鏡筒１００の構成を示す断面図である。
【図４】レンズ室１２０の構成を示す図である。
【図５】ガタ取り環１３０の構成を示す図である。
【図６】バヨネット結合されたレンズ室１２０とガタ取り環１３０とのストロークを示す部分拡大図である。
【図７】レンズ室１２０とガタ取り環１３０とをバヨネット結合する組み立て工程を示す図である。
【図８】レンズ鏡筒１００全体の組み立て工程を示す図である。
【図９】カムフォロア１２１，１３１と、直進溝１１１及びカム溝１４１との位置関係を示す図である。
【図１０】ガタ取り環１３０の係合面１３６に形成したストッパー１３６ａの構成を示す模式図である。
【発明を実施するための形態】
【０００９】
以下、図面等を参照して、本発明の実施形態について説明する。
図１は、本発明の一実施形態であるカメラ１を示す模式図である。
カメラ１は、レンズ交換可能なカメラ（例えば、デジタル一眼レフカメラやフィルム一眼レフカメラ等）として構成することができる。
なお、以下の各図には、説明と理解を容易にするために、ＸＹＺ直交座標系を設けた。この座標系では、撮影者が光軸ＯＡを水平として横長の画像を撮影する場合のカメラの位置（以下、正位置という）において撮影者から見て左側に向かう方向をＸプラス方向とし、正位置において上側に向かう方向をＹプラス方向とする。また、正位置において被写体に向かう方向をＺプラス方向とする。さらに、光軸ＯＡ（即ちＺ軸）と平行な方向の移動を「直進」、光軸ＯＡを中心とする回動を「回転」という。
【００１０】
カメラ１は、カメラ本体１０と、レンズ鏡筒１００と、を備えている。
カメラ本体１０は、レンズ鏡筒１００を装着するバヨネット式のマウント部を有している。カメラ本体１０のマウント部には、レンズ鏡筒１００のバヨネット爪を受け入れる嵌め込み部が形成されており、この嵌め込み部にレンズ鏡筒１００のバヨネット爪を嵌め込んだ後、レンズ鏡筒１００を光軸ＯＡの周りに回転させることによって、カメラ本体１０にレンズ鏡筒１００を結合（装着）することができる。
また、カメラ本体１０は、レンズ鏡筒１００を装着するマウント部に、複数の電気接点を備えており、この電気接点を介して、カメラ本体１０側のマイコンとレンズ鏡筒１００側のマイコンとが電気信号や電力の授受を行う。
【００１１】
図２は、レンズ鏡筒１００の構成を示す分解斜視図である。また、図３は、レンズ鏡筒１００の構成を示す断面図である。
図２及び図３において、レンズ鏡筒１００は、カメラ本体１０に対して交換可能なレンズ鏡筒として構成され、固定筒１１０と、レンズ室１２０と、ガタ取り環１３０と、カム環１４０とを備えている。
【００１２】
固定筒１１０は、円筒部１１０ａと、円筒部１１０ａの一端に形成されたフランジ部１１０ｂとを有している。
円筒部１１０ａには、光軸ＯＡに沿う方向の直進溝１１１が複数形成されており、この直進溝１１１には、レンズ室１２０あるいはガタ取り環１３０のカムフォロア１２１，１３１が挿通される。
【００１３】
また、固定筒１１０の円筒部１１０ａは、外周面における対物側端部にカム環１４０を回転可能に支持するためのカム環回転用カムフォロア１１３を設置するねじ穴１１３ａが形成されている。そして、ねじ穴１１３ａに設置されたカム環回転用カムフォロア１１３は、カム環１４０の内周面に形成された環状のカム溝１４１に係合する。したがって、カム環１４０は、固定筒１１０に対して光軸ＯＡ方向に進退することなく回転する。
フランジ部１１０ｂには、カメラ本体１０にバヨネット結合可能なレンズマウント１１２が形成されている。このレンズマウント１１２は、複数の電気接点（不図示）を備えており、この電気接点を介して、カメラ本体１０側のマイコンとレンズ鏡筒１００側のマイコンとが電気信号や電力の授受を行う。
【００１４】
レンズ室１２０は、例えばフォーカスレンズ等のレンズ群を支持する円筒状の枠部材であり、固定筒１１０内に配置される。
図４は、レンズ室１２０の構成を示す図であり、図４（ａ）は正面図、図４（ｂ）は側面図、図４（ｃ）は背面図である。
図４に示すように、レンズ室１２０の外周面には、固定筒１１０の直進溝を挿通するカムフォロア１２１を設置するねじ穴１２１ａが形成されている。そして、ねじ穴１２１ａに設置されたカムフォロア１２１（図２参照）は、固定筒１１０の直進溝１１１を挿通して、後述するカム環１４０のカム溝１４１に係合する。したがって、後述するように、カム環１４０が光軸ＯＡの周りに回転すると、カム溝１４１に沿って、カムフォロア１２１がカム環１４０と相対移動し、カムフォロア１２１は固定筒１１０の直進溝１１１内を光軸ＯＡ方向に進退する。このような構成により、レンズ室１２０は、光軸ＯＡ方向に沿って固定筒１１０内を移動可能となっている。
【００１５】
また、レンズ室１２０における対物側と逆の端面（即ち、固定筒１１０のレンズマウント１１２側の端面。以下、「結合面１２２」と称する。）には、ガタ取り環１３０と結合するバヨネット式のマウント構造が形成されている。具体的には、結合面１２２の周方向に、ほぼ均等な間隔で複数（例えば３つ）のバヨネット爪１２３が形成されている。バヨネット爪１２３は、ガタ取り環１３０に嵌め込まれ、光軸ＯＡの周りに回転されることで、レンズ室１２０とガタ取り環１３０とを連結する。
【００１６】
図２及び図３に戻り、ガタ取り環１３０は、レンズ室１２０とカム環１４０とのガタを低減するために設置され、レンズ室１２０と外径をほぼ同一に形成された円環状の部材によって構成される。
図５は、ガタ取り環１３０の構成を示す図であり、図５（ａ）は正面図、図５（ｂ）は側面図、図５（ｃ）は背面図である。
【００１７】
図５に示すように、ガタ取り環１３０の外周面には、固定筒１１０の直進溝を挿通するカムフォロア１３１を設置するねじ穴１３１ａが形成されている。なお、ガタ取り環１３０の外周面において、ねじ穴１３１ａが形成されている部分は、他の部分よりも外周面の幅が拡大した形状を有している。そして、ねじ穴１３１ａに設置されたカムフォロア１３１（図２参照）は、固定筒１１０の直進溝１１１を挿通して、カム環１４０のカム溝に係合する。したがって、後述するように、カム環１４０が光軸ＯＡの周りに回転すると、カム溝に沿って、カムフォロア１３１がカム環１４０と相対移動し、カムフォロア１３１は固定筒１１０の直進溝１１１内を光軸ＯＡ方向に進退する。このような構成により、ガタ取り環１３０は、光軸ＯＡの方向に沿って固定筒１１０内を移動可能となっている。
【００１８】
また、ガタ取り環１３０は、レンズ室１２０の結合面１２２を受けて、バヨネット結合する端面（以下、「結合受け面１３２」と称する。）を有している。この結合受け面１３２には、レンズ室１２０とガタ取り環１３０とを光軸ＯＡの方向に離間させるためのガタ取り用のばね１３３を支持するばね支持穴１３４が複数形成されている。なお、ばね支持穴１３４は、レンズ室１２０側に形成することも可能である。また、ガタ取り用のばね１３３は、弾性部材であれば、ゴムや樹脂等、ばね以外の部材としても良い。
また、ガタ取り環１３０の内周面には、レンズ室１２０のバヨネット爪１２３が嵌め込まれる切り欠き部１３５が形成されている。切り欠き部１３５は、ガタ取り環１３０の内周面に円環の長さ方向（光軸ＯＡの方向）に渡って形成された溝であり、レンズ室１２０とガタ取り環１３０とがバヨネット結合される際に、レンズ室１２０のバヨネット爪１２３が通過する経路となる。切り欠き部１３５を通過したバヨネット爪１２３は、レンズ室１２０とガタ取り環１３０とが光軸ＯＡの周りに回転されることで、ガタ取り環１３０の係合面１３６に係合する。本実施形態では、この係合面１３６を、ガタ取り環１３０の結合受け面１３２と逆側の端部における内周面に形成した段差部分によって実現している。
【００１９】
レンズ鏡筒１００の組み立て時には、ガタ取り環１３０の切り欠き部１３５をレンズ室１２０のバヨネット爪１２３が通過して結合面１２２と結合受け面１３２とを接近させることで、ガタ取り用のばね１３３が圧縮される。そして、ガタ取り環１３０の結合受け面１３２とレンズ室１２０の結合面１２２とが当接した後、ガタ取り環１３０とレンズ室１２０とが光軸ＯＡの周りに相対的に回転されることで、これらがバヨネット結合される。さらに、バヨネット結合後は、ガタ取り用のばね１３３の弾性力によって、レンズ室１２０とガタ取り環１３０とは、互いに離間する方向に付勢された状態となり、レンズ室１２０のバヨネット爪１２３とガタ取り環１３０の係合面１３６とが当接した状態となる。このとき、レンズ室１２０のバヨネット爪１２３とガタ取り環１３０の係合面１３６とは、ガタ取り用のばね１３３が圧縮されることで、光軸ＯＡに沿って、予め設定されたストロークの範囲で離間可能な状態となっている。
【００２０】
図６は、バヨネット結合されたレンズ室１２０とガタ取り環１３０とのストロークを示す部分拡大図である。なお、図６は、図３における二点鎖線部Ａを拡大したものである。
図６において、レンズ室１２０のバヨネット爪１２３と、バヨネット爪１２３が係合するガタ取り環１３０の端面（具体的には係合面１３６）とは、レンズ室１２０とガタ取り環１３０とがバヨネット結合された後、レンズ鏡筒１００に組み込まれた状態でストロークＳだけ離間した状態となっている。即ち、カム環１４０のカム溝１４１にレンズ室１２０及びガタ取り環１３０のカムフォロア１２１，１３１が係合される際、レンズ室１２０とガタ取り環１３０とは予め設定されたストロークの範囲で相対移動され、ストロークＳだけ離間した状態で組み付けられる。
【００２１】
バヨネット爪１２３とガタ取り環１３０の係合面１３６とのストロークは、バヨネット結合されたレンズ室１２０とガタ取り環１３０との形状の関係によってその範囲が規定されるものであり、自然長においてガタ取り用のばね１３３がばね支持穴１３４から突出する部分の長さよりも小さく（即ち、ガタ取り用のばね１３３の圧縮が維持される範囲内で）、０より大きい間隔となるように設計されている。
このようにバヨネット結合されたレンズ室１２０とガタ取り環１３０とは、作業者が保持しなくても、バヨネット結合が維持されることから、これらを固定筒１１０内に配置し、カムフォロア１２１，１３１をねじ穴１２１ａ，１３１ａに設置する作業等が容易に行えるものとなる。
また、ストロークの介在により、レンズ室１２０とガタ取り環１３０とを光軸ＯＡの方向に相対的に変移させることができる。そのため、カム環１４０の外周面側からカムフォロア１２１，１３１をねじ穴１２１ａ，１３１ａに設置する際に、後述するカム環１４０の貫通穴１４２に対する位置ずれを調整することができる。したがって、カムフォロア１２１，１３１をねじ穴１２１ａ，１３１ａに設置する作業がより容易に行えるものとなる。
【００２２】
図２及び図３に戻り、カム環１４０は、固定筒１１０の円筒部１１０ａの外径より大きい内径を有する円筒状部材であり、固定筒１１０の円筒部１１０ａを内筒とする外筒として配置される。また、カム環１４０の内周面には、光軸ＯＡ方向にピッチを有する周方向の溝（即ち、らせん状の溝。以下、「カム溝１４１」と称する。）が形成されており、このカム溝１４１にカムフォロア１２１，１３１を係合している。また、カム環１４０のカム溝１４１の一部には、内周面から外周面に貫通する貫通穴１４２が形成されており、レンズ鏡筒１００の組み立て時には、この貫通穴１４２を介して、カム環１４０の外周面側からカムフォロア１２１，１３１がねじ止めにより設置される。
また、カム環１４０の内周面における対物側端部には、環状の溝（以下、「カム環回転溝１４３」と称する。）が形成されており、このカム環回転溝１４３に固定筒１１０のカム環回転用カムフォロア１１３を係合している。また、カム環１４０のカム環回転溝１４３の一部には、内周面から外周面に貫通する貫通穴１４４が形成されており、レンズ鏡筒１００の組み立て時には、この貫通穴１４４を介して、カム環１４０の外周面側からカム環回転用カムフォロア１１３がねじ止めにより設置される。
【００２３】
このように、カム環１４０の内周面において、カム環回転溝１４３が環状に形成され、カム溝１４１がらせん状に形成されているため、カム環１４０が回転した場合、固定筒１１０に対してカム環１４０は光軸ＯＡ方向に進退しないと共に、レンズ室１２０及びガタ取り環１３０は、固定筒１１０に対して光軸ＯＡ方向に進退する。
【００２４】
（レンズ鏡筒１００の組み立て工程）
次に、レンズ鏡筒１００の組み立て工程について説明する。
図７は、レンズ室１２０とガタ取り環１３０とをバヨネット結合する組み立て工程を示す図である。また、図８は、レンズ鏡筒１００全体の組み立て工程を示す図である。
レンズ鏡筒１００を組み立てる場合、まず、レンズ室１２０とガタ取り環１３０とをバヨネット結合させる。以下、図７を参照して、レンズ室１２０とガタ取り環１３０とをバヨネット結合させる各工程について説明する。
【００２５】
（工程ＳＴ１）
ガタ取り環１３０の結合受け面１３２におけるばね支持穴１３４に、ガタ取り用のばね１３３を挿入し、レンズ室１２０のバヨネット爪１２３の位置とガタ取り環１３０の切り欠き部１３５との周方向の位置を合わせる。
（工程ＳＴ２）
レンズ室１２０のバヨネット爪１２３の位置とガタ取り環１３０の切り欠き部１３５との周方向の位置を合わせた状態で、ガタ取り環１３０をレンズ室１２０に押し当て、ガタ取り用のばね１３３を圧縮して、レンズ室１２０とガタ取り環１３０とを当接した状態とする。
【００２６】
（工程ＳＴ３）
ガタ取り環１３０とレンズ室１２０とを光軸ＯＡの周りに相対的に回転させ、レンズ室１２０のバヨネット爪１２３とガタ取り環１３０の切り欠き部１３５との周方向の位置をずらす。
（工程ＳＴ４）
作業者がレンズ室１２０とガタ取り環１３０との当接を解除すると共に、ガタ取り用のばね１３３の作用によって、レンズ室１２０のバヨネット爪１２３とガタ取り環１３０の係合面１３６とが当接した状態となる。このとき、レンズ室１２０とガタ取り環１３０とは設定されたストロークの範囲内で光軸ＯＡ方向に相対移動可能な状態となっている。
工程ＳＴ４の後、ガタ取り環１３０はレンズ室１２０にバヨネット結合し、放置しても結合を維持する状態となる。
【００２７】
（レンズ鏡筒１００全体の組み立て工程）
次に、図８を参照して、バヨネット結合されたレンズ室１２０とガタ取り環１３０とをレンズ鏡筒１００に組み込み、レンズ鏡筒１００全体を組み立てる工程について説明する。
（工程ＳＴ１０）
初めに、固定筒１１０の円筒部１１０ａをカム環１４０に挿通し、カム環１４０を外筒とし円筒部１１０ａが内筒となるよう配置する。
【００２８】
（工程ＳＴ２０）
固定筒１１０の円筒部１１０ａにおけるねじ穴１１３ａがカム環１４０の貫通穴１４４から覗くように、カム環１４０を光軸ＯＡの周りに回転し、貫通穴１４４からカム環回転用カムフォロア１１３を設置する。
（工程ＳＴ３０）
バヨネット結合されたレンズ室１２０とガタ取り環１３０とを、固定筒１１０のフランジ部１１０ｂ側から固定筒１１０の円筒部１１０ａ内に挿入する。このとき、レンズ室１２０とガタ取り環１３０とはバヨネット結合されているため、作業者は、これらの部材の当接を維持する必要がない。
【００２９】
（工程ＳＴ４０）
バヨネット結合されたレンズ室１２０とガタ取り環１３０とを光軸ＯＡの周りに回転させると共に、カム環１４０を光軸ＯＡの周りに回転させ、カム環１４０の貫通穴１４２からねじ穴１２１ａ，１３１ａが覗く状態に調整する。そして、カム環１４０の貫通穴１４２からカムフォロア１２１，１３１を設置する。このとき、本実施形態に係るレンズ鏡筒１００では、レンズ室１２０とガタ取り環１３０とがストロークとして設定された範囲内で光軸ＯＡの方向に相対的に移動可能であるため、カム環１４０の貫通穴１４２からねじ穴１２１ａ，１３１ａが覗く状態を形成し易くなっている。
【００３０】
（工程ＳＴ５０）
カム環１４０を光軸ＯＡの周りに回転させ、カム溝１４１にカムフォロア１２１，１３１を係合させる。
図９は、カムフォロア１２１，１３１と、直進溝１１１及びカム溝１４１との位置関係を示す図である。
カムフォロア１２１，１３１は、ガタ取り用のばね１３３の付勢力によって、光軸ＯＡ方向に互いに離間する作用が働いており、その結果、カムフォロア１２１とカムフォロア１３１とがカム溝１４１の対向する側壁に押し当てられた状態となる。したがって、ガタ取り環１３０を設置することにより、レンズ室１２０のカム環１４０に対するガタが低減される。
このような工程により、レンズ鏡筒１００の組み立てが完了する。
【００３１】
以上、本実施形態によると、以下の効果を有する。
（１）レンズ室１２０とガタ取り環１３０とがバヨネット結合する構成であるため、レンズ鏡筒１００を組み立てる際に、ガタ取り用のばね１３３によって互いに離間する方向に付勢されているレンズ室１２０とガタ取り環１３０との結合を作業者が維持する必要がない。
したがって、レンズ室１２０とガタ取り環１３０とをレンズ鏡筒１００に組み込む作業が容易となるため、カム環１４０を備えたレンズ鏡筒１００の組み立て効率を向上させることが可能となる。
【００３２】
（２）レンズ室１２０とガタ取り環１３０とは、バヨネット結合された状態で、ガタ取り用のばね１３３の圧縮が維持される範囲内で光軸ＯＡの方向に相対移動可能である。
そのため、カム環１４０の貫通穴１４２からカムフォロア１２１，１３１をねじ穴１２１ａ，１３１ａに設置する際に、貫通穴１４２に対するねじ穴１２１ａ，１３１ａの位置を調整できる。
したがって、カムフォロア１２１，１３１をねじ穴１２１ａ，１３１ａに設置する作業がより容易に行えるものとなる。
【００３３】
（３）ガタ取り環１３０及びレンズ室１２０の少なくとも一方に、ガタ取り用のばね１３３を支持するばね支持穴１３４が形成されている。
したがって、レンズ室１２０とガタ取り環１３０とをバヨネット結合する際に、ガタ取り用のばね１３３をガタ取り環１３０あるいはレンズ室１２０に支持しておくことができるため、レンズ鏡筒１００の組み立てをより容易に行うことが可能となる。
【００３４】
以上、説明した実施形態に限定されることなく、以下に示すような種々の変形が可能であり、それらも本発明の範囲内である。
（変形例１）
上記実施形態において、ガタ取り環１３０における係合面１３６に、バヨネット結合したレンズ室１２０が脱落することを防止するためのストッパーを設けることができる。
図１０は、ガタ取り環１３０の係合面１３６に形成したストッパー１３６ａの構成を示す模式図である。なお、図１０においては、ガタ取り環１３０の内側から係合面１３６に係合するバヨネット爪１２３を破線で示している。
図１０に示すように、切り欠き部１３５から係合面１３６に連通する部分に、ストッパー１３６ａとして、係合面１３６から隆起する突部を形成することができる。
このストッパー１３６ａにより、レンズ鏡筒１００の組み立て作業中等に、バヨネット結合させたレンズ室１２０とガタ取り環１３０とが光軸ＯＡの周りに回転し、バヨネット結合が解除される状態となることを抑制できる。
したがって、レンズ鏡筒１００の組み立て作業をより容易に行うことが可能となる。
【符号の説明】
【００３５】
１：カメラ（撮像装置）、１００：レンズ鏡筒、１１０：固定筒（固定部材）、１２０：レンズ室（第１の筒状部材）、１３０：ガタ取り環（第２の筒状部材）、１３３：ガタ取り用のばね（弾性部材）、１３４：ばね支持穴（支持部）、１３６ａ：ストッパー（ストッパー部）、１４０：カム環、１４１：カム溝（係合溝）
【図１】
2013250408.tif 000003
【図２】
2013250408.tif 000004
【図３】
2013250408.tif 000005
【図４】
2013250408.tif 000006
【図５】
2013250408.tif 000007
【図６】
2013250408.tif 000008
【図７】
2013250408.tif 000009
【図８】
2013250408.tif 000010
【図９】
2013250408.tif 000011
【図１０】
2013250408.tif 000012